(57)【要約】【課題】本発明は、携帯端末に応用されるセキュリティ警告方法及びそのシステムを提供することを目的とする。【解決手段】本発明に係るセキュリティ警告方法は、携帯端末のスクリーンが点灯状態であるかどうかを検知するステップと、スクリーンが点灯状態である場合、ユーザの顔がスクリーンに面するかどうかを検知するステップと、ユーザの顔がスクリーンに面すると検知された場合、携帯端末に実行中の応用プロセスがあるかどうかを検知するステップと、実行中の応用プロセスがある場合、携帯端末は縦方向において往復移動するかどうかを検知するステップと、携帯端末が縦方向において上下に往復移動すると検知された場合、携帯端末が水平方向で移動する時間が設定時間を超えているかどうかを検知するステップと、携帯端末が水平方向で継続的に移動する時間が設定時間を超えている場合、ユーザに警告するステップと、を備える。【選択図】図３
2015106410.tif 000002
【特許請求の範囲】
【請求項１】
携帯端末のスクリーンが点灯状態であるかどうかを検知するステップと、
前記携帯端末のスクリーンが点灯状態である場合、ユーザの顔が前記携帯端末のスクリーンに面するかどうかを検知するステップと、
ユーザの顔が前記携帯端末のスクリーンに面すると検知された場合、前記携帯端末に現在実行中の応用プロセスがあるかどうかを検知するステップと、
前記携帯端末に現在実行中の応用プロセスがある場合、前記携帯端末は縦方向において上下に往復移動するかどうかを検知するステップと、
前記携帯端末が縦方向において上下に往復移動すると検知された場合、前記携帯端末が水平方向で継続的に移動する時間が設定時間を超えるかどうかを検知するステップと、
前記携帯端末が水平方向で継続的に移動する時間が設定時間を超えた場合、ユーザに警告するステップと、を備えることを特徴とする携帯端末のセキュリティ警告方法。
【請求項２】
前記携帯端末に現在実行中の応用プロセスがない場合、前記携帯端末がユーザのタッチ操作を受信している又は処理しているかどうかを検知するステップと、
前記携帯端末がユーザのタッチ操作を受信している又は処理していると検知された場合、前記携帯端末が水平方向で継続的に移動する時間が設定時間を超えているかどうかを検知するステップと、
前記携帯端末が水平方向で継続的に移動する時間が設定時間を超えていない場合、ユーザに警告を出すステップと、を更に備えることを特徴とする請求項１に記載のセキュリティ警告方法。
【請求項３】
前記携帯端末のスクリーンを消灯させることで、ユーザに警告を出すことを特徴とする請求項１又は２に記載のセキュリティ警告方法。
【請求項４】
前記携帯端末のスクリーン上に警告メッセージを表示することで、ユーザに警告を出すことを特徴とする請求項１又は２に記載のセキュリティ警告方法。
【請求項５】
前記携帯端末を介して警告メッセージの音声を再生することで、ユーザに警告を出すことを特徴とする請求項１又は２に記載のセキュリティ警告方法。
【請求項６】
携帯端末のスクリーンが点灯状態であるかどうかを検知するスクリーン状態検知モジュールと、
前記携帯端末のスクリーンが点灯状態である場合、ユーザの顔が前記携帯端末のスクリーンに面するかどうかを検知するユーザ顔検知モジュールと、
ユーザの顔が前記携帯端末のスクリーンに面すると検知された場合、前記携帯端末に現在実行中の応用プロセスがあるかどうかを検知する応用プロセス検知モジュールと、
前記携帯端末に現在実行中の応用プロセスがある場合、前記携帯端末は縦方向において上下に往復移動するかどうかを検知する縦方向運動検知モジュールと、
前記携帯端末が縦方向において上下に往復移動すると検知された場合、前記携帯端末が水平方向で継続的に移動する時間が設定時間を超えているかどうかを検知する水平方向運動検知モジュールと、
前記携帯端末が水平方向で継続的に移動する時間が設定時間を超えている場合、ユーザに警告を出す警告モジュールと、を備えることを特徴とする携帯端末のセキュリティ警告システム。
【請求項７】
前記携帯端末に現在実行中の応用プロセスがない場合、前記携帯端末がユーザのタッチ操作を受信している又は処理しているかどうかを検知するタッチ操作検知モジュールを更に備え、
前記携帯端末がユーザのタッチ操作を受信している又は処理していると検知された場合、前記水平方向運動検知モジュールは前記携帯端末が水平方向で継続的に移動する時間が設定時間を超えているかどうかを検知し、前記携帯端末が水平方向で継続的に移動する時間が設定時間を超えている場合、前記警告モジュールはユーザに警告を出すことを特徴とする請求項６に記載のセキュリティ警告システム。
【請求項８】
前記携帯端末のスクリーンを消灯させることで、ユーザに警告を出すことを特徴とする請求項６又は７に記載のセキュリティ警告システム。
【請求項９】
前記携帯端末のスクリーンにおいて警告メッセージを表示することで、ユーザに警告を出すことを特徴とする請求項６又は７に記載のセキュリティ警告システム。
【請求項１０】
前記携帯端末を介して警告メッセージの音声を再生することで、ユーザに警告を出すことを特徴とする請求項６又は７に記載のセキュリティ警告システム。
【発明の詳細な説明】
【技術分野】
【０００１】
本発明は、セキュリティ警告方法及びそのシステムに関するものである。
【背景技術】
【０００２】
スマートフォンやタブレットなどの携帯端末が普及している現在、人々が携帯端末を見ながら歩いている姿がよく見かけられる。しかし、携帯端末を見ながら歩くと、人や物にぶつかりやすく、転倒する可能性もある。また、携帯端末を見ながら道路を渡るのはさらに危険である。
【発明の概要】
【発明が解決しようとする課題】
【０００３】
本発明の目的は、前記課題を解決し、携帯端末に応用されるセキュリティ警告方法及びそのシステムを提供することである。
【課題を解決するための手段】
【０００４】
上記目的を達成するために、本発明に係るセキュリティ警告方法は、携帯端末のスクリーンが点灯状態であるかどうかを検知するステップと、携帯端末のスクリーンが点灯状態である場合、ユーザの顔が携帯端末のスクリーンに面するかどうかを検知するステップと、ユーザの顔が携帯端末のスクリーンに面すると検知された場合、携帯端末に現在実行中の応用プロセスがあるかどうかを検知するステップと、現在実行中の応用プロセスがある場合、携帯端末が縦方向において上下に往復移動するかどうかを検知するステップと、携帯端末が縦方向において上下に往復移動すると検知された場合、携帯端末が水平方向で移動する時間が設定時間を超えているかどうかを検知するステップと、携帯端末が水平方向で継続的に移動する時間が設定時間を超えている場合、ユーザに警告するステップと、を備える。
【発明の効果】
【０００５】
本発明に係る携帯端末のセキュリティ警告方法は、ユーザが歩きながら携帯端末１０を操作しているかどうかを判断し、ユーザが携帯端末を操作しながら歩いていると判断した場合、ユーザに警告する。これにより、事故を防止することができる。
【図面の簡単な説明】
【０００６】
【図１】本発明の実施形態に係る携帯端末のブロック図である。
【図２】本発明の実施形態に係るセキュリティ警告システムのブロック図である。
【図３】本発明の実施形態に係るセキュリティ警告方法のフローチャートである。
【発明を実施するための形態】
【０００７】
図１に示したように、本発明の実施形態に係る携帯端末１０は、中央処理器１０１と、記憶装置１０２と、タッチパネル１０３と、カメラ１０４と、ＧＰＳモジュール１０５と、加速度センサー１０６と、を備える。携帯端末１０は、スマートフォン、タブレット、ＰＤＡ、音楽再生装置、又は他の携帯式電子装置であっても良い。
【０００８】
中央処理器１０１は、データを処理し、且つ記憶装置１０２と、タッチパネル１０３と、カメラ１０４と、ＧＰＳモジュール１０５と、加速度センサー１０６と、を含む携帯端末１０の全ての機能部を制御することに用いられる。
【０００９】
記憶装置１０２は、データを記憶する装置であって、ランダムアクセスメモリ（ＲＡＭ）、フラッシュメモリ、磁気ディスク、又は他の記憶装置である。
【００１０】
タッチパネル１０３は、内容を表示し、ユーザからのタッチ操作を受信し且つ処理する。
【００１１】
カメラ１０４は、撮影に使用され、タッチパネル１０３の前にユーザの顔があるかどうかを検知し、またこの際、ユーザがタッチパネル１０３の真正面に位置するかどうかを判断する。
【００１２】
ＧＰＳモジュール１０５は、携帯端末１０の所在する位置を定位し、且つ携帯端末１０が水平方向で移動するかどうかを判断する。
【００１３】
加速度センサー１０６は、携帯端末１０の多方向における加速度を検知し、携帯端末１０の縦方向（重力方向）及び水平方向における運動状況を判断する。
【００１４】
中央処理器１０１と、記憶装置１０２と、タッチパネル１０３と、カメラ１０４と、ＧＰＳモジュール１０５と、加速度センサー１０６とは、バスライン１０７又は他の接続部品を介して、互いに接続されている。
【００１５】
携帯端末１０は、さらに、セキュリティ警告システム２０を備える。
【００１６】
図２に示したように、セキュリティ警告システム２０は、スクリーン状態検知モジュール２０１と、ユーザ顔検知モジュール２０２と、応用プロセス検知モジュール２０３と、縦方向運動検知モジュール２０４と、タッチ操作検知モジュール２０５と、水平方向運動検知モジュール２０６と、警告モジュール２０７と、を備える。
【００１７】
スクリーン状態検知モジュール２０１は、携帯端末１０のスクリーン（本発明においては、スクリーンはタッチパネル１０３である）が点灯状態であるかどうかを検知する。携帯端末１０のスクリーンが点灯していない、つまり消灯している状態であると検知した場合、セキュリティ警告システム２０は、携帯端末１０は現在使用されていないと判断し、更なる操作は行わない。
【００１８】
携帯端末１０のスクリーンが点灯状態であると検知した場合、ユーザ顔検知モジュール２０２は、ユーザの顔が携帯端末１０のスクリーンに面するかどうかを検知する。ユーザの顔が携帯端末１０のスクリーンに面していないと検知した場合、セキュリティ警告システム２０は、携帯端末１０は現在使用されていないと判断し、更なる操作は行わない。
【００１９】
応用プロセス検知モジュール２０３は、ユーザの顔が携帯端末１０のスクリーンに面すると検知された場合に、携帯端末１０において、現在実行中の応用プロセスがあるかどうかを検知する。
【００２０】
応用プロセス検知モジュール２０３が、携帯端末１０に現在実行中の応用プロセスがあると検知した場合、縦方向運動検知モジュール２０４は、携帯端末１０が縦方向において、上下に往復移動しているかどうかを検知する。
【００２１】
応用プロセス検知モジュール２０３が、携帯端末１０に現在実行中の応用プロセスはないと検知した場合、タッチ操作検知モジュール２０５は、携帯端末１０が現在ユーザのタッチ操作を受信している又は処理しているかどうかを検知する。
【００２２】
縦方向運動検知モジュール２０４が、携帯端末１０が縦方向において、上下に往復移動していると検知した場合、又はタッチ操作検知モジュール２０５が携帯端末１０がユーザのタッチ操作を受信している又は処理していると検知した場合、水平方向運動検知モジュール２０６は、携帯端末１０が水平方向において、継続的に移動する時間が設定時間、例えば１５秒を超えているかどうかを検知する。
【００２３】
水平方向運動検知モジュール２０６が、携帯端末１０が水平方向において、継続的に移動する時間が設定時間を超えていると検知した場合、警告モジュール２０７は、ユーザに警告を出す。警告方法は、携帯端末１０のスクリーン上に警告メッセージを表示するか、携帯端末１０を介して警告メッセージの音声を再生するか、又は携帯端末１０のスクリーンを消灯してユーザに警告する。
【００２４】
以上のセキュリティ警告システム２０の各機能モジュールは、中央処理器１０１がコンピュータの指令を実行することによって、又はプログラムを搭載するハードウェアを集成することによって実現できる。
【００２５】
図３に示したのは、本発明のセキュリティ警告方法のフローチャートであって、以下のステップを備える。
【００２６】
ステップＳ３０１において、スクリーン状態検知モジュール２０１は、携帯端末１０のスクリーンが点灯状態であるかどうかを検知する。携帯端末１０が点灯状態であれば、ステップＳ３０２に進み、携帯端末１０が点灯状態でない場合、ステップＳ３０８に進む。
【００２７】
ステップＳ３０２において、ユーザ顔検知モジュール２０２は、ユーザの顔が携帯端末１０のスクリーンに面するかどうかを検知する。ユーザの顔が携帯端末１０のスクリーンに面する場合、ステップＳ３０３に進み、ユーザの顔が携帯端末１０のスクリーンに面していない場合、ステップＳ３０８に進む。
【００２８】
ステップＳ３０３において、応用プロセス検知モジュール２０３は、携帯端末１０に現在実行中の応用プロセスがあるかどうかを検知する。携帯端末１０に現在実行中の応用プロセスがある場合、ステップＳ３０４に進み、現在実行中の応用プロセスがなければ、ステップＳ３０５に進む。
【００２９】
ステップＳ３０４において、縦方向運動検知モジュール２０４は、携帯端末１０が縦方向において、上下に往復移動しているかどうかを検知する。携帯端末１０が縦方向において上下に往復移動していると検知された場合、ステップＳ３０６に進み、携帯端末１０が縦方向において上下に往復移動していないと検知された場合、ステップＳ３０８に進む。
【００３０】
ステップＳ３０５において、タッチ操作検知モジュール２０５は、携帯端末１０がユーザのタッチ操作を受信している又は処理しているかどうかを検知する。携帯端末１０がユーザのタッチ操作を受信している又は処理していると検知された場合、ステップＳ３０６に進み、携帯端末１０がユーザのタッチ操作を受信している又は処理していると検知されなかった場合、ステップＳ３０８に進む。
【００３１】
ステップＳ３０６において、水平方向運動検知モジュール２０６は、携帯端末１０が水平方向において、継続的に移動する時間が設定時間、例えば１５秒を超えているかどうかを検知する。移動時間が設定時間を超えていると検知された場合、ステップＳ３０７に進み、移動時間が設定時間を超えていると検知されなかった場合、ステップＳ３０８に進む。
【００３２】
ステップＳ３０７において、警告モジュール２０７は、ユーザに警告する。その方法は、警告モジュール２０７は、携帯端末１０のスクリーン上に警告メッセージを表示するか、或いは携帯端末１０を介して警告メッセージの音声を再生するか、又は携帯端末１０のスクリーンを消灯してユーザに警告する。
【００３３】
ステップＳ３０８において、携帯端末１０は、警告動作を行わない。
【００３４】
従来の技術に比べて、携帯端末１０のセキュリティ警告システム及びその方法は、ユーザが歩きながら携帯端末１０を操作しているかどうかを判断し、ユーザが携帯端末を操作しながら歩いていると判断した場合、ユーザに警告する。これにより、事故を防止することができる。
【符号の説明】
【００３５】
１０  携帯端末
１０１  中央処理器
１０２  記憶装置
１０３  タッチパネル
１０４  カメラ
１０５  ＧＰＳモジュール
１０６  加速度センサー
１０７  バスライン
２０  セキュリティ警告システム
２０１  スクリーン状態検知モジュール
２０２  ユーザ顔面検知モジュール
２０３  応用プロセス検知モジュール
２０４  縦方向運動検知モジュール
２０５  タッチ操作検知モジュール
２０６  水平方向運動検知モジュール
２０７  警告モジュール
【図１】
2015106410.tif 000003
【図２】
2015106410.tif 000004
【図３】
2015106410.tif 000005